(57)【要約】【課題】  電池の過剰な温度上昇または電池の電圧値の低下を確実に報知することができる電源装置を提供する。【解決手段】  電子機器に対して給電するための電源装置２であって、電池１６ａ〜１６ｄを保持する電池保持部１２と、開口部と、電池保持部１２を収納する収納室とを備えた筐体４と、筐体４の開口部を開閉可能な電池蓋６と、電池１６ａ〜１６ｄまたは該電池１６ａ〜１６ｄ近傍の温度を検出する温度検出部及び電池１６ａ〜１６ｄの電圧を検出する電圧検出部の少なくとも一方と、温度検出部及び電圧検出部の少なくとも一方による検出結果を表示する表示部１４ａ，１４ｂとを備え、電池保持部１２または電池蓋６のうちの少なくとも一方は、筐体４から着脱可能な部材であり、温度検出部、電圧検出部及び表示部１４ａ，１４ｂは、着脱可能な部材上に設けられていることを特徴とする。【選択図】  図３
2010029049.tif 000002
【特許請求の範囲】
【請求項１】
電子機器に対して給電するための電源装置であって、
電池を保持する電池保持部と、
開口部と、前記電池保持部を収納する収納室と、を備えた筐体と、
前記筐体の前記開口部を開閉可能な電池蓋と、
前記電池または該電池近傍の温度を検出する温度検出部及び前記電池の電圧を検出する電圧検出部の少なくとも一方と、
前記温度検出部及び前記電圧検出部の少なくとも一方による検出結果を表示する表示部と、を備え、
前記電池保持部または前記電池蓋のうちの少なくとも一方は、前記筐体から着脱可能な部材であり、前記温度検出部、前記電圧検出部及び前記表示部は、前記着脱可能な部材上に設けられていることを特徴とする電源装置。
【請求項２】
前記電池保持部は、複数の前記電池を保持し、
前記表示部は、前記複数の電池のうち、前記電子機器の電源スイッチの開閉とは無関係に接続された前記電池からの給電を受けることを特徴とする請求項１記載の電源装置。
【請求項３】
前記表示部は、前記複数の電池より少ない数の前記電池からの給電を受けることを特徴とする請求項２記載の電源装置。
【請求項４】
前記着脱可能な部材上に設けられ、前記表示部に対して給電する給電部を更に備えることを特徴とする請求項１〜請求項３記載の電源装置。
【請求項５】
前記給電部は、前記電池からの給電を受けられない場合、前記表示部に対して給電することを特徴とする請求項４記載の電源装置。
【請求項６】
前記給電部は、電気二重層コンデンサを含むことを特徴とする請求項４または請求項５記載の電源装置。
【請求項７】
前記給電部は、太陽電池を含むことを特徴とする請求項４〜請求項６の何れか一項に記載の電源装置。
【請求項８】
前記温度検出部は、前記複数の電池のうち１つの前記電池の温度を検出し、
前記電圧検出部は、前記複数の電池のうち１つの前記電圧を検出し、
前記表示部は、前記複数の電池のうち１つの前記電池の温度及び電圧の少なくとも一方の検出結果を表示することを特徴とする請求項２〜請求項７の何れか一項に記載の電源装置。
【請求項９】
前記複数の電池それぞれに対して、前記温度検出部及び前記電圧検出部の少なくとも一方と、前記表示部とを備えることを特徴とする請求項８記載の電源装置。
【請求項１０】
前記電池保持部及び前記電池蓋は、一体に構成されていることを特徴とする請求項１〜請求項９の何れか一項に記載の電源装置。
【請求項１１】
前記電子機器及び前記電池保持部は、一体に構成されていることを特徴とする請求項１〜請求項１０の何れか一項に記載の電源装置。
【請求項１２】
前記電子機器は、撮像装置または照明装置であることを特徴とする請求項１〜請求項１１の何れか一項に記載の電源装置。
【請求項１３】
請求項１〜請求項１２の何れか一項に記載の電源装置を備え、前記電源装置から給電を受けることを特徴とする電子機器。
【発明の詳細な説明】
【技術分野】
【０００１】
本発明は、電源装置及び該電源装置から給電を受ける電子機器に関するものである。
【背景技術】
【０００２】
電池の過剰な温度上昇等による危険な状態を回避するための保護素子と、電池の温度等を検出する検出センサとを備え、保護素子が電流の供給を遮断する前に、検出センサの検出結果に応じて電池が危険な状態であることをアラームで警告する電池の異常警告装置が提案されている（例えば、特許文献１参照）。
【特許文献１】特開２０００−１２３８８７号公報
【発明の開示】
【発明が解決しようとする課題】
【０００３】
ところで、上述の電池の異常警告装置においては、危険な状態にある電池からの給電によりアラームを作動させているため、電池の電圧値が低い場合等にアラームが作動しない場合があった。
【０００４】
本発明の目的は、電池の過剰な温度上昇または電池の電圧値の低下を確実に報知することができる電源装置及び電子機器を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の電源装置（２）は、電子機器に対して給電するための電源装置（２）であって、電池（１６ａ〜１６ｄ）を保持する電池保持部（１２）と、開口部（１０ａ）と、前記電池保持部（１２）を収納する収納室（１０）と、を備えた筐体（４）と、前記筐体（４）の前記開口部（１０ａ）を開閉可能な電池蓋（６）と、前記電池（１６ａ〜１６ｄ）または該電池（１６ａ〜１６ｄ）近傍の温度を検出する温度検出部（２２）及び前記電池（１６ａ〜１６ｄ）の電圧を検出する電圧検出部の少なくとも一方と、前記温度検出部（２２）及び前記電圧検出部の少なくとも一方による検出結果を表示する表示部（１４ａ，１４ｂ）とを備え、前記電池保持部（１２）または前記電池蓋（６）のうちの少なくとも一方は、前記筐体（４）から着脱可能な部材であり、前記温度検出部（２２）、前記電圧検出部及び前記表示部（１４ａ，１４ｂ）は、前記着脱可能な部材上に設けられていることを特徴とする。
【０００７】
また、本発明の電子機器（２８）は、本発明の電源装置（３０）を備え、前記電源装置（３０）から給電を受けることを特徴とする。
【発明の効果】
【０００８】
本発明の電源装置及び電子機器によれば、電池の過剰な温度上昇または電池の電圧値の低下を確実に報知することができる。
【発明を実施するための最良の形態】
【０００９】
以下、図面を参照して本発明の第１の実施の形態に係る電源装置について説明する。図１は、第１の実施の形態に係る電源装置２の概略構成を示す図である。電源装置２は、電子機器、例えば撮像装置や照明装置に対して給電するためのものであり、電子機器に対して接続可能な構成を有している。図１に示すように、電源装置２は、後述する収納室１０（図２参照）及び開口部１０ａ（図２参照）を備えた筐体４、開口部１０ａを開閉可能な電池蓋６を備えている。
【００１０】
筐体４は、開口または透明な部材等により構成される表示窓８ａを備えており、表示窓８ａは、ＬＥＤ等から成る表示素子１４ａ（図３参照）による表示（発光）を目視できる位置に形成されている。また、電池蓋６には、開口または透明な部材等により構成される表示窓８ｂが設けられており、表示窓８ｂは、ＬＥＤ等から成る表示素子１４ｂ（図３参照）による表示（発光）が目視できる位置に形成されている。
【００１１】
図２は、電池蓋６を筐体４から取り外したときの電源装置２の概略構成を示す図である。筐体４は、後述する電池ホルダ１２を収納するための収納室１０及び電池ホルダ１２を挿入するための開口部１０ａを備えている。また、電源装置２は、電池蓋６と一体に構成され、筐体４の収納室１０に対して挿入可能な電池ホルダ１２を備えている。即ち、電池蓋６及び電池ホルダ１２は、筐体４から着脱可能な部材により形成されている。電池ホルダ１２は、４本の電池１６ａ〜１６ｄ（図４参照）を収納し保持する電池室１２ａ〜１２ｄを備えている。また、電池室１２ａと１２ｄ（１２ｂと１２ｃ）とを仕切る部材上には、ＬＥＤ等により構成される表示素子１４ａが設けられている。電池蓋６と一体に形成された電池ホルダ１２は開口部１０ａから収納室１０に挿入され、電池蓋６により開口部１０ａが閉塞される。
【００１２】
図３は、筐体４、電池蓋６及び電池ホルダ１２の構成を示す図である。図３に示すように、筐体４の内部（収納室１０）には、電池１６ａの−極に接続される導電切片１８ａ、電池１６ｄの＋極に接続される導電切片１８ｃが取り付けられている。また、電池ホルダ１２は、温度ヒューズ２０ａ，２０ｂを備えており、温度ヒューズ２０ａは電池１６ａの＋極と電池１６ｂの−極との間に、温度ヒューズ２０ｂは電池１６ｃの＋極と電池１６ｄの−極との間に設けられている。また、電池ホルダ１２は、温度ヒューズ２０ａの近傍に配置され、電池１６ａ，１６ｂの温度を検出する感温素子２２（図４参照）、及び温度ヒューズ２０ｂの近傍に配置され、電池１６ｃ，１６ｄの温度を検出する感温素子（図示せず）を備えている。電池蓋６には、電池１６ｂの＋極と電池１６ｄの−極とを接続する導電切片１８ｂ、及び表示素子１４ｂが取り付けられている。
【００１３】
図４は、電源装置２の回路図である。図４に示すように、感温素子２２及び表示素子１４ａは、電池１６ａ〜１６ｄが装填された電源回路に電気的に接続され、温度検出回路を構成している。なお、この第１の実施の形態においては、電池１６ｃ，１６ｄの温度を検出する感温素子及び表示素子１４ｂも、電池１６ａ〜１６ｄが装填された電源回路に電気的に接続され、温度検出回路を構成しているが、図４においてはその図示を省略している。
【００１４】
図５は、図４に示す温度検出回路の動作を説明するための図である。図５に示すように、感温素子（温度センサ）２２により電池１６ａ，１６ｂの温度がＴ１に達したことが検出されたとき、表示素子１４ａに電流が流れ始め、表示素子１４ａは点灯する。温度ヒューズ２０ａ，２０ｂは温度がＴ３（＞Ｔ１）に達したときに断絶するため、温度がＴ１のときは電子機器に対する電力供給は継続して行われている。例えば温度がＴ４（Ｔ１＜Ｔ４＜Ｔ３）に達したときに使用者が表示素子１４ａの点灯に気付き電子機器の電源をオフした場合、または電子機器が低消費電力モードに切り換わった場合等には、温度が徐々に低下し始め、感温素子２２により電池１６ａ，１６ｂの温度がＴ２（＜Ｔ１）であることが検出されたとき、表示素子１４ａは消灯する。
【００１５】
なお、電池１６ａ，１６ｂの温度がＴ３に達した場合、温度ヒューズ２０ａまたは２０ｂが断絶して電子機器に対する電力の供給は遮断されるが、図４の回路図から明らかなように、電池１６ｂ，１６ｃは温度ヒューズ２０ａ，２０ｂを介さずに（接続される電子機器の電源スイッチのオン・オフとは無関係に）、感温素子２２及び表示素子１４ａに電気的に接続しているため、温度ヒューズ２０ａ，２０ｂとは無関係に感温素子２２及び表示素子１４ａは電池１６ｂ，１６ｃから給電を受け続け、温度検出回路（感温素子２２及び表示素子１４ａ）に対する電流の流れは停止せず、表示素子１４ａは点灯を継続する。本実施形態では、電池ホルダ１２に保持されている４本の電池１６ａ〜１６ｄのうち、２本の電池１６ｂ，１６ｃが温度ヒューズ２０ａ，２０ｂとは無関係に感温素子２２及び表示素子１４ｂに接続されている。
【００１６】
なお、第１の実施の形態に係る電源装置２においては、表示素子１４ａ，１４ｂを点灯させることにより電池１６ａ〜１６ｄの温度上昇に対する警告を発しているが、電源回路への電流の流れは停止しない。しかしながら、図６の回路図に示すように、Ｐ型ＭＯＳＦＥＴ２４及びＮ型ＭＯＳＦＥＴ２６を追加することにより、表示素子１４ａ，１４ｂの点灯による警告とともに電源回路への電流の流れを停止させることができる。具体的には、図６の回路図に示すように、Ｐ型ＭＯＳＦＥＴ２４を電源装置の電源回路に、Ｎ型ＭＯＳＦＥＴ２６を温度検出回路に接続する。感温素子２２により検出される電池１６ａ，１６ｂの温度が所定の温度に達するまでの間は、Ｐ型ＭＯＳＦＥＴ２４及びＮ型ＭＯＳＦＥＴ２６はオンしているため、電源回路に電流が流れ、電子機器に対する給電が行われる。このとき、表示素子１４ａには電流が流れないため、表示素子１４ａは点灯しない。
【００１７】
一方、感温素子２２により検出される電池１６ａ，１６ｂの温度が所定の温度を超えた場合、表示素子１４ａに電流が流れ始め、表示素子１４ａは点灯する。また、Ｐ型ＭＯＳＦＥＴ２４及びＮ型ＭＯＳＦＥＴ２６はオフし、電子機器に対する給電は停止する。感温素子２２により検出される電池１６ａ，１６ｂの温度が所定の温度を超えている間、表示素子１４ａは点灯を継続し、電子機器に対する給電は行われない。
【００１８】
感温素子２２により検出される電池１６ａ，１６ｂの温度が所定の温度より低くなったとき、表示素子１４ａは消灯する。また、Ｐ型ＭＯＳＦＥＴ２４及びＮ型ＭＯＳＦＥＴ２６はオンし、電源回路に電流が流れ、電子機器に対する給電が行われる。この場合には、温度ヒューズ２０ａ，２０ｂが断絶する前に、表示素子１４ａ，１４ｂを点灯させることにより電池１６ａ〜１６ｄの温度上昇に対する警告を発するとともに、電源回路への電流の流れを停止することができるため、電池１６ａ〜１６ｄの過剰な温度上昇を確実に防止することができる。
【００１９】
次に、本発明の第２の実施の形態に係る電源装置について説明する。なお、第２の実施の形態に係る電源装置の構成は、第１の実施の形態に係る電源装置２を構成する感温素子に代えて電圧検出器を備えたものであるため、第１の実施の形態に係る電源装置２の構成と同一の構成についての説明を省略し、同一の構成には同一の符号を用いて説明を行う。
【００２０】
第２の実施の形態に係る電圧検出器は、図３に示す温度ヒューズ２０ａ，２０ｂの近傍に配置され、電池１６ｂ，１６ｃの電圧値を検出する。この電圧検出器及び表示素子１４ａ，１４ｂは、電池１６ａ〜１６ｄが装填された電源回路に電気的に接続され、電圧検出回路を構成する。また、この電圧検出回路には、ダイオードや抵抗やコンデンサ等により構成される平滑化回路が設けられており、この平滑化回路は、例えば電子機器において瞬時に大電力を消費した場合等、電池１６ａ〜１６ｄの電圧値が急激に低下した際に、電圧検出器が急激に低下した電圧値を検出するのを防止する。
【００２１】
電圧検出器により電池１６ｂ，１６ｃの電圧値が所定値より高いと検出された場合、表示素子１４ａ，１４ｂに電流は流れず、表示素子１４ａ，１４ｂは点灯しない。一方、電圧検出器により電池１６ｂ，１６ｃの電圧値が所定値以下であると検出されたとき、表示素子１４ａ，１４ｂに電流が流れ始め、表示素子１４ａ，１４ｂは点灯する。なお、電池１６ｂ，１６ｃは温度ヒューズ２０ａ，２０ｂを介さずに（接続される電子機器の電源スイッチのオン・オフとは無関係に）、電圧検出器及び表示素子１４ａに電気的に接続しているため、電圧検出器及び表示素子１４ａ，１４ｂは電池１６ｂ，１６ｃから給電を受け続け、電圧検出回路への電流の流れは停止せず、表示素子１４ａ，１４ｂは点灯を継続する。
【００２２】
なお、上述の所定値、即ち表示素子１４ａ，１４ｂの点灯及び消灯の閾値は、変更可能であり、電池の種類や温度等に応じた所定値のテーブル等（予め記憶させておく）を参照して適宜変化させる。例えば、電源装置２または電源装置２に接続される電子機器に電池の種類等を選択することができる選択部（例えば、スライド式のボタン等）や電池の温度を検出する温度検出部を設け、電池を電池ホルダ１２に挿入したとき等に、選択部を介して挿入された電池の種類を設定し、設定された電池の種類及び温度検出部による検出結果から所定値を設定する。
【００２３】
また、第２の実施の形態においては、電圧検出器により電池１６ｂ，１６ｃの電圧値を検出するように回路が構成されているが、電圧検出器により電池１６ａ〜１６ｄの少なくとも１つの電圧値を検出するように回路を構成することもできる。
【００２４】
また、第１の実施の形態に係る感温素子２２及び第２の実施の形態に係る電圧検出器の両方を備えた電源装置を構成することもできる。この場合には、電池の過剰な温度上昇を警告するための表示素子と電池の電圧値の低下を警告するための表示素子とを設ける。
【００２５】
次に、本発明の第３の実施の形態に係る照明装置について説明する。図７は、第２の実施の形態に係る照明装置２８の概略構成を示す図である。照明装置２８は、撮影用の照明光を発する装置であり、照明装置２８に対して給電するための電源部３０を備えている。電源部３０は、収納室３２（図８参照）、開口部３２ａ及び電池蓋３４を備えている。電池１６ａ〜１６ｄは、開口部３２ａから収納室３２へ図中矢印Ａ方向に挿入される。電池蓋３４は、図中矢印Ｂ方向に回動させることにより開口部３２ａを開閉可能に構成されており、その表面中央部に開口または透明な部材等により構成される表示窓３６を備えている。表示窓３６は、ＬＥＤ等から成る表示素子１４（図８参照）による表示（発光）が目視できる位置に形成されている。
【００２６】
図８は、電池１６ａ〜１６ｄを収納し保持する収納室３２及び電池蓋３４の構成を示す図である。収納室３２には、電池１６ａの−極に接続される導電切片１８ｄ、電池１６ｂの＋極と電池１６ｃの−極とを接続する導電切片１８ｅ、電池１６ｄの＋極に接続される導電切片１８ｆが取り付けられている。また、電池蓋３４には、温度ヒューズ２０ｃ，２０ｄ、電池１６ａの＋極と温度ヒューズ２０ｃとを接続する導電切片１８ｇ、温度ヒューズ２０ｃと電池１６ｂの−極とを接続する導電切片１８ｈ、電池１６ｃの＋極と温度ヒューズ２０ｄとを接続する導電切片１８ｉ、温度ヒューズ２０ｄと電池１６ｄの−極とを接続する導電切片１８ｊ、及び表示素子１４が取り付けられている。また、電池蓋３４は、電池１６ａ〜１６ｄの温度を検出する感温素子３８（図９参照）、整流ダイオード４０（図９参照）及び表示素子１４に対して給電可能な電気二重層コンデンサ４２（図９参照）を備えており、感温素子３８、整流ダイオード４０及び電気二重層コンデンサ４２は、温度ヒューズ２０ｃまたは２０ｄの近傍に配置されている。
【００２７】
図９は、電源部３０の回路図である。表示素子１４、感温素子３８、整流ダイオード４０及び電気二重層コンデンサ４２は、電池１６ａ〜１６ｄが装填された電源回路に電気的に接続され、温度検出回路を構成している。電池１６ｂ，１６ｃの電圧値が電気二重層コンデンサ４２の電圧値より高いとき、整流ダイオード４０に電流が流れるため、電気二重層コンデンサ４２は、電池１６ｂ，１６ｃからの給電を受け、充電される。また、感温素子３８により電池１６ａ〜１６ｄの温度が所定温度に達したことが検出されたとき、表示素子１４は電池１６ｂ，１６ｃから給電を受けて点灯する。
【００２８】
一方、電子機器において瞬時に大電力を消費した場合や電池１６ａ〜１６ｄの電圧値が小さくなった場合等、電池１６ｂ，１６ｃの電圧値が電気二重層コンデンサ４２の電圧値より低くなったとき、整流ダイオード４０に電流が流れない。したがって、電池１６ａ〜１６ｄの温度が所定温度に達したとき、表示素子１４は予め充電された電気二重層コンデンサ４２から給電を受けて点灯する。また、低下していた電池１６ｂ，１６ｃの電圧値が回復し、電池１６ｂ，１６ｃの電圧値が電気二重層コンデンサ４２の電圧値より再び高くなった場合、整流ダイオード４０に電流が流れはじめ、表示素子１４は電池１６ｂ，１６ｃから給電を受けて点灯する。
【００２９】
なお、所定温度より高い温度に達し、温度ヒューズ２０ｃまたは２０ｄが断絶したとき、電子機器への給電は遮断されるが、感温素子３８及び表示素子１４は電池１６ｂ，１６ｃまたは電気二重層コンデンサ４２から給電を受け続けられるために、温度検出回路（感温素子３８及び表示素子１４）への電流の流れは停止せず、表示素子１４は点灯を継続する。また、電池蓋３４を照明装置２８から取り外した場合においても、電気二重層コンデンサ４２から給電を受け続けられるために、表示素子１４は、電気二重層コンデンサ４２内から給電を受けられる間、点灯を継続する。
【００３０】
なお、第３の実施の形態においては、感温素子３８を備えた照明装置２８を例に挙げて説明したが、電池１６ａ〜１６ｄの電圧値を検出する電圧検出器を備えた照明装置にも本発明を適用することができる。この場合には、表示素子１４及び電圧検出器により電圧検出回路が形成され、電池１６ａ〜１６ｄの電圧値が所定値以下となったとき、表示素子１４は電池１６ｂ，１６ｃから給電を受けて点灯する。また、電池１６ｂ，１６ｃから給電を受けられないとき、表示素子１４は、電気二重層コンデンサ４２から給電を受けて点灯する。また、感温素子３８及び電圧検出器の両方を備えた構成にすることもできる。
【００３１】
次に、本発明の第４の実施の形態に係る照明装置について説明する。なお、第４の実施の形態に係る照明装置の構成は、第３の実施の形態に係る電気二重層コンデンサ４２に代えて太陽電池を備えたものであるため、第３の実施の形態に係る照明装置２８の構成と同一の構成についての説明を省略し、同一の構成には同一の符号を用いて説明を行う。
【００３２】
図１０は、第４の実施の形態に係る電源部３０の回路図である。太陽電池４４は、太陽の光等のエネルギーを電力に変換する電力機器であり、感温素子３８及び表示素子１４に電気的に接続されており、太陽電池４４、感温素子３８及び表示素子１４により温度検出回路が形成されている。感温素子３８により電池１６ａ〜１６ｄの温度が所定温度に達したことが検出されると、表示素子１４は、太陽電池４４から給電を受けて点灯する。図１０の回路図から明らかなように、温度検出回路は電源回路とは無関係に形成されているため、電源回路に電流が流れていないときも表示素子１４ａは点灯を継続する。
【００３３】
なお、第４の実施の形態においては、感温素子３８を備えた照明装置２８を例に挙げて説明したが、電池１６ａ〜１６ｄの電圧値を検出する電圧検出器を備えた照明装置にも本発明を適用することができる。図１１は、感温素子３８の代わりに電圧検出器４６を備えた場合における電源部３０の回路図である。図１１に示すように、表示素子１４及び電圧検出器４６により電圧検出回路が形成され、電圧検出器４６により電池１６ｂ，１６ｃの電圧値が所定値以下であると検出されたとき、表示素子１４は太陽電池４４から給電を受けて点灯する。または、電池１６ｂ，１６ｃの電圧値が所定値より高い間は表示素子１４を点灯させておき、電池１６ｂ，１６ｃの電圧値の低下に伴い表示素子１４の点灯時の明るさを徐々に減少させる。また、感温素子３８及び電圧検出器４６の両方を備えた構成にすることもできる。
【００３４】
また、第３の実施の形態に係る電気二重層コンデンサ４２及び第４の実施の形態に係る太陽電池４４の両方を備えた電源部を構成することもできる。図１２は、電気二重層コンデンサ４２及び太陽電池４４の両方を備えた場合における電源部３０´の回路図である。図１２に示すように、表示素子１４、感温素子３８、整流ダイオード４０、電気二重層コンデンサ４２及び太陽電池４４は、温度検出回路を構成している。電池１６ｂ，１６ｃの電圧値が電気二重層コンデンサ４２の電圧値より高いとき、電気二重層コンデンサ４２は充電される。
【００３５】
電源部３０´において電池１６ａ〜１６ｄの温度が所定温度に達したとき、表示素子１４は、太陽電池４４から給電を受けて点灯する。また、照明装置２８が暗い場所に置かれている等、太陽電池４４から給電を受けられない場合、表示素子１４は、電池１６ｂ，１６ｃから給電を受けて点灯する。更に、太陽電池４４及び電池１６ｂ，１６ｃから給電を受けられない場合、表示素子１４は、予め充電された電気二重層コンデンサ４２から給電を受けて点灯する。なお、感温素子３８の代わりに電圧検出器を備えた構成、または感温素子３８及び電圧検出器の両方を備えた構成にすることもできる。
【００３６】
次に、本発明の第５の実施の形態に係る電源装置について説明する。図１３は、第５の実施の形態に係る電源装置２´の概略構成を示す図である。なお、この第５の実施の形態に係る電源装置２´においては、第１及び第２の実施の形態に係る電源装置２の構成と同一の構成についての説明を省略し、同一の構成には同一の符号を用いて説明を行う。
【００３７】
図１３に示すように、筐体４´は、開口または透明な部材等により構成される４つの表示窓４５ａ〜４５ｄを備えており、表示窓４５ａは、ＬＥＤ等から成る表示素子４８ａによる表示（発光）が目視できる位置に形成されている。同様に、表示窓４５ｂ〜４５ｄのそれぞれは、後述するＬＥＤ等からなる表示素子４８ｂ〜４８ｄのそれぞれによる表示（発光）が目視できる位置に形成されている。また、電池蓋６´は、開口または透明な部材等により構成される４つの表示窓４６ａ〜４６ｄを備えている。表示窓４６ａは、ＬＥＤ等から成る表示素子４９ａ（図１４参照）による表示（発光）が目視できる位置に形成されている。同様に、表示窓４６ｂ〜４６ｄのそれぞれは、ＬＥＤ等からなる表示素子４９ｂ〜４９ｄ（図１４参照）のそれぞれによる表示（発光）が目視できる位置に形成されている。また、電池ホルダ１２´の電池室１２ａと１２ｄ（１２ｂと１２ｃ）とを仕切る部材上には、ＬＥＤ等により構成される４つの表示素子４８ａ〜４８ｄが設けられている。電池蓋６´と一体に形成された電池ホルダ１２´は開口部１０ａから収納室１０に挿入され、電池蓋６´により開口部１０ａが閉塞される。
【００３８】
図１４は、筐体４´、電池蓋６´及び電池ホルダ１２´の構成を示す図である。図１４に示すように、筐体４´の内部（収納室１０）には、導電切片１８ａ，１８ｃが取り付けられている。また、電池ホルダ１２´は、温度ヒューズ２０ａ，２０ｂ、電池１６ａの近傍に配置され、電池１６ａの温度を検出する感温素子２２ａ、電池１６ｂの近傍に配置され、電池１６ｂの温度を検出する感温素子２２ｂ、電池１６ｃの近傍に配置され、電池１６ｃの温度を検出する感温素子２２ｃ、電池１６ｄの近傍に配置され、電池１６ｄの温度を検出する感温素子２２ｄを備えている。電池蓋６´には、導電切片１８ｂ及び表示素子４９ａ〜４９ｄが取り付けられている。
【００３９】
図１５は、電源装置２´の回路図である。感温素子２２ａ〜２２ｄ及び表示素子４８ａ〜４８ｄは、電源装置２´の電源回路に電気的に接続され、温度検出回路を構成している。なお、この第５の実施の形態においては、表示素子４９ａ〜４９ｄも、電池１６ａ〜１６ｄが装填された電源回路に電気的に接続され、温度検出回路を構成しているが、図１５においてはその図示を省略している。
【００４０】
感温素子２２ａにより電池１６ａの温度が所定温度に達したことが検出されたとき、表示素子４８ａに電流が流れ始め、表示素子４８ａは点灯する。同様に、感温素子２２ｂにより電池１６ｂが所定温度に達したと検出されたとき表示素子４８ｂは点灯し、感温素子２２ｃにより電池１６ｃが所定温度に達したと検出されたとき表示素子４８ｃは点灯し、感温素子２２ｄにより電池１６ｄが所定温度に達したと検出されたとき表示素子４８ｄは点灯する。
【００４１】
温度ヒューズ２０ａ，２０ｂが断絶する前に表示素子４８ａ〜４８ｄは表示を開始する。また、温度ヒューズ２０ａまたは２０ｂが断絶して電子機器に対する給電が遮断された場合、電池１６ｂ，１６ｃは温度ヒューズ２０ａ，２０ｂを介さずに（接続される電子機器の電源スイッチのオン・オフとは無関係に）、感温素子２２ａ〜２２ｄ及び表示素子４８ａ〜４８ｄに電気的に接続しているため、感温素子２２ａ〜２２ｄ及び表示素子４８ａ〜４８ｄは電池１６ｂ，１６ｃから給電を受け続け、表示素子４８ａ〜４８ｄは点灯を継続する。
【００４２】
なお、第５の実施の形態に係る電源装置２においては、表示素子４８ａ〜４８ｄの点灯後も電源回路への電流の流れは停止しないが、図６の回路図に示すようなＰ型ＭＯＳＦＥＴ２４及びＮ型ＭＯＳＦＥＴ２６を追加することにより表示素子４８ａ〜４８ｄの点灯後に電源回路への電流の流れを停止させることができる。
【００４３】
次に、本発明の第６の実施の形態に係る電源装置について説明する。なお、第６の実施の形態に係る電源装置の構成は、第５の実施の形態に係る電源装置２´を構成する感温素子２２ａ〜２２ｄに代えて４つの電圧検出器５０ａ〜５０ｄ（図１６参照）を備えたものであるため、第１の実施の形態に係る電源装置２´の構成と同一の構成についての説明を省略し、同一の構成には同一の符号を用いて説明を行う。
【００４４】
電圧検出器５０ａは電池１６ａの電圧値、電圧検出器５０ｂは電池１６ｂの電圧値、電圧検出器５０ｃは電池１６ｃの電圧値、電圧検出器５０ｄは電池１６ｄの電圧値を検出する。図１６は、電圧検出器５０ａ〜５０ｄを備えた電源装置２´の回路図である。図１６に示すように、電圧検出器５０ａ〜５０ｄ及び表示素子４８ａ〜４８ｄは、電池１６ａ〜１６ｄが装填された電源回路に電気的に接続され、電圧検出回路を構成している。また、電圧検出器５０ａ及び表示素子４８ａにより構成される電圧検出回路には、第２の実施の形態に係る平滑化回路と同様の平滑化回路が設けられている。同様に、電圧検出器５０ｂ〜５０ｄ及び表示素子４８ｂ〜４８ｄのそれぞれにより構成される電圧検出回路にも、平滑化回路が設けられている。
【００４５】
電圧検出器５０ａにより電池１６ａの電圧値が所定値より高いと検出された場合、表示素子４８ａは点灯しない。一方、電圧検出器５０ａにより電池１６ａの電圧値が所定値以下であると検出されたとき、表示素子４８ａは点灯する。同様に、電圧検出器５０ｂ〜５０ｄのそれぞれにより電池１６ｂ〜１６ｄのそれぞれの電圧値が所定値より高いと検出された場合、表示素子４８ｂ〜４８ｄは点灯しない。一方、電圧検出器５０ｂ〜５０ｄのそれぞれにより電池１６ｂ〜１６ｄのそれぞれの電圧値が所定値以下であると検出されたとき、表示素子４８ｂ〜４８ｄは点灯する。なお、各電池１６ａ〜１６ｄは温度ヒューズ２０ａ，２０ｂを介さずに（接続される電子機器の電源スイッチのオン・オフとは無関係に）、電圧検出器５０ａ〜５０ｄ及び表示素子４８ａ〜４８ｄのそれぞれに電気的に接続しているため、電圧検出器５０ａ〜５０ｄ及び表示素子４８ａ〜４８ｄのそれぞれは電池１６ａ〜１６ｄのそれぞれから給電を受け続け、電圧検出回路への電流の流れは停止せず、表示素子４８ａ〜４８ｄは点灯を継続する。
【００４６】
なお、第５の実施の形態に係る４つの感温素子２２ａ〜２２ｄ及び第６の実施の形態に係る４つの電圧検出器５０ａ〜５０ｄの両方を備えた電源装置を構成することもできる。この場合には、電池の過剰な温度上昇を警告するための４つの表示素子と電池の電圧値の低下を警告するための４つの表示素子とを設ける。また、第５及び第６の実施の形態に係る電源装置に、第３及び第４の実施の形態に係る電気二重層コンデンサや太陽電池を備える構成にすることもできる。
【００４７】
上述の各実施の形態に係る電源装置または照明装置によれば、使用者が表示素子の表示を目視できる位置に表示窓が設けられているため、電池の過剰な温度上昇または電圧値の低下を使用者に対して確実に報知することができる。また、電源装置に接続される電子機器または照明装置の電源スイッチのオン・オフ及び電源回路に含まれている温度ヒューズとは無関係に温度検出回路または電圧検出回路が構成されているため、電源スイッチのオフまたは温度ヒューズの断絶がなされた場合においても、電池の過剰な温度上昇または電圧値の低下に対する警告を継続して行うことができる。更に、従来の電源装置のように電池自体に表示素子等を設けるのではなく、電池を収納し保持するための電池ホルダまたは電池蓋に表示素子を設けているため、電池の使用個数に対する表示素子の使用個数を削減することができ、低コスト化を実現することができる。また、着脱可能な部材により構成される電池ホルダや電池蓋を交換することにより感温素子、電圧検出器及び表示素子の交換を容易に行うことができる。
【００４８】
また、上述の各実施の形態に係る感温素子を備えた電源装置または照明装置によれば、感温素子が電池の近傍に配置されているため、電池から直接に発する熱の温度を検出することができるため、電池の温度を正確に検出することができる。
【００４９】
また、上述の第３の実施の形態に係る照明装置によれば、電池から給電を受けられない場合や電池蓋を照明装置から取り外した場合においても、電気二重層コンデンサから給電を受けられるため、電池の過剰な温度上昇に対する警告を継続して行うことができ、使用者に対して確実に報知することができる。
【００５０】
また、上述の第４の実施の形態に係る照明装置によれば、電源回路の動作とは無関係に温度検出回路が形成されているため、電池の電圧値に関係なく表示素子を点灯させることができる。即ち、電源回路とは無関係に、電池の過剰な温度上昇に対する警告を継続して行うことができる。また、電池ではなく太陽電池から給電を受けることにより表示素子の点灯を行うため、電池の電力消費を抑えることができる。
【００５１】
また、上述の第５及び第６の実施の形態に係る電源装置によれば、各電池の過剰な温度上昇または電圧値の低下を使用者に対して確実に報知することができる。４つの電池の種類、メーカー、電圧値等が同一であることが望ましいが、例えば４つの電池が異種電池（異なる種類、異なるメーカー、未使用電池及び使用途中の電池の組み合わせ等）であった場合、個々の電池の温度または電圧値を把握することができるため、危険な状態にある電池または交換すべき電池を容易に特定することができる。
【００５２】
なお、上述の各実施の形態においては、電池の温度上昇または電圧値の低下を報知するために表示素子を点灯させているが、温度検出回路または電圧検出回路に発振回路等を設け、電池の状態に応じて表示素子を点灯または点滅させるようにすることもできる。例えば、高温または高電圧のときには点滅の周期を速くし、低温または低電圧のときには点滅の周期を遅くする等の表示素子の点滅の周期を変化させることもできる。または、省エネのために、高電圧のときには表示素子を点灯させて低電圧のときには表示素子を点滅させることもできる。
【００５３】
また、上述の感温素子を備えた電源装置または照明装置においては、温度ヒューズを備えているが、表示素子を点灯させることにより電池の温度上昇に対する警告を使用者に対して発することができるため、温度ヒューズを備えない構成にすることもできる。
【００５４】
また、上述の電圧検出器を備えた電源装置または照明装置においては、電圧検出器により電池の電圧値が所定値以下であると検出されたとき、表示素子を点灯させる構成であるが、所定値より高いときに表示素子を点灯させ、所定値以下のときに表示素子を消灯させる構成にすることもできる。また、電池の電圧値が十分に高いときは表示素子を点灯させておき、電池の電圧値の低下に伴い表示素子の点灯時の明るさを徐々に減少させる構成にすることもできる。
【００５５】
また、第１、第２、第５及び第６の実施の形態に係る電源装置においては、表示素子（表示窓）が電池蓋及び電池ホルダ（筐体）に設けられているが、電池蓋または電池ホルダのいずれか一方に設けられていればよい。
【００５６】
また、第１、第２、第５及び第６の実施の形態においては、電子機器に対して接続可能な構成を有し、電池ホルダと電池蓋とが一体に構成された電源装置を例に挙げて説明したが、電池ホルダと電池蓋が別体に構成された電源装置、または電池ホルダと電池蓋が別体に構成され、かつ電池ホルダと電子機器とが一体に構成された電源装置にも本発明を適用することができる。
【００５７】
また、第３及び第４の実施の形態においては、電池を収納し保持する収納室と照明装置が一体に構成された電源部を例に挙げて説明したが、照明装置に対して接続可能な構成を有し、電池を収納し保持する収納室と照明装置が別体に構成された電源装置にも本発明を適用することができる。また、照明装置を例に挙げて説明したが、撮像装置等の電子機器にも本発明を適用することができる。
【図面の簡単な説明】
【００５８】
【図１】第１の実施の形態に係る電源装置の概略構成を示す図である。
【図２】第１の実施の形態に係る電源装置の概略構成を示す図である。
【図３】第１の実施の形態に係る筐体、電池蓋及び電池ホルダの構成を示す図である。
【図４】第１の実施の形態に係る電源装置の回路図である。
【図５】第１の実施の形態に係る温度検出回路の動作を説明するための図である。
【図６】第１の実施の形態に係る電源装置の他の回路図である。
【図７】第３の実施の形態に係る電源装置の概略構成を示す図である。
【図８】第３の実施の形態に係る電池蓋及び収納室の構成を示す図である。
【図９】第３の実施の形態に係る電源装置の回路図である。
【図１０】第４の実施の形態に係る電源装置の回路図である。
【図１１】第４の実施の形態に係る電源装置の他の回路図である。
【図１２】第４の実施の形態に係る電源装置の他の回路図である。
【図１３】第５の実施の形態に係る電源装置の概略構成を示す図である。
【図１４】第５の実施の形態に係る筐体、電池蓋及び電池ホルダの構成を示す図である。
【図１５】第５の実施の形態に係る電源装置の回路図である。
【図１６】第６の実施の形態に係る電源装置の回路図である。
【符号の説明】
【００５９】
２，２´…電源装置、４，４´…筐体、６，６´，３４…電池蓋、１０…収納室、１２，１２´…電池ホルダ、１４，１４ａ，１４ｂ，３６，４８ａ〜４８ｄ，４９ａ〜４９ｄ…表示素子、１６ａ〜１６ｄ…電池、２０ａ〜２０ｄ…温度ヒューズ、２２，２２ａ〜２２ｄ，３８…感温素子、２８…照明装置、３０…電源部、４０…整流ダイオード、４２…電気二重層コンデンサ、４４…太陽電池、４６，５０ａ〜５０ｄ…電圧検出器。
【図１】
2010029049.tif 000003
【図２】
2010029049.tif 000004
【図３】
2010029049.tif 000005
【図４】
2010029049.tif 000006
【図５】
2010029049.tif 000007
【図６】
2010029049.tif 000008
【図７】
2010029049.tif 000009
【図８】
2010029049.tif 000010
【図９】
2010029049.tif 000011
【図１０】
2010029049.tif 000012
【図１１】
2010029049.tif 000013
【図１２】
2010029049.tif 000014
【図１３】
2010029049.tif 000015
【図１４】
2010029049.tif 000016
【図１５】
2010029049.tif 000017
【図１６】
2010029049.tif 000018